(57)【要約】【課題】当該発送人の家やアパート等の住居から郵便物を簡便に発送でき、又、安全性の高い郵便システムあるいは郵便箱を提供すること。【解決手段】受領郵便を収納する受領郵便収納部と発送用郵便を収納する発送郵便収納部を有する郵便箱と、郵便箱に発送用郵便が投函されたことを検知する発送用郵便物検知手段と、この発送用郵便物検知手段が発送用郵便物を検知した時に郵便局に住居コードと共に発送用郵便物があることを通知する送信装置を具備する郵便システム。【選択図】      図１
2004305468.tif 000002
【特許請求の範囲】
【請求項１】
受領郵便を収納する受領郵便収納部と発送用郵便を収納する発送郵便収納部とを有する郵便箱と、発送郵便収納部に発送用郵便物が投函されたことを検知する発送用郵便物検知手段と、この発送用郵便物検知手段が発送用郵便物を検知した時に郵便局に住居コードと共に発送用郵便物があることを送信する送信装置を具備する郵便システム。
【請求項２】
請求項１記載の郵便システムにおいて、
郵便箱に発送用郵便が投函されたことを検知する発送用郵便物検知手段は、発送郵便収納部の開閉蓋に連動しているセンサーである郵便システム。
【請求項３】
請求項１記載の郵便システムにおいて、
郵便箱に発送用郵便が投函されたことを検知する発送用郵便物検知手段は、光センサーである郵便システム。
【請求項４】
居住人のスイッチ操作により住居コードあるいは氏名コード信号を郵便局に送り、これによって発送用郵便物があること集配人に知らしめる郵便システム。
【請求項５】
郵便箱に発送用郵便物があることを示す信号と手渡し郵便物があることを示す信号の何れかあるいは両信号を郵便局に送信し、これによって郵便箱に投函された発送用郵便物あるいは手渡し郵便物があること集配人に知らしめる郵便システム。
【請求項６】
受領郵便を収納する受領郵便収納部と発送用郵便を収納する発送郵便収納部を有する郵便箱と、発送用郵便収納部に発送用郵便が投函されていることを表示する表示手段とを有する郵便箱。
【請求項７】
前記請求項６記載の郵便箱において、
発送用郵便収納部の前面には当該居住者の番号で開錠される機械的錠あるいは電子的錠が設けられている郵便箱。
【請求項８】
前記請求項６記載の郵便箱において、
発送用郵便が投函されていることを表示する表示手段は、半透明板が貼り付けられた覗き窓の裏面に、内部で操作されるスライド式表示板で構成されたものである郵便箱。
【発明の詳細な説明】
【０００１】
【発明の属する技術分野】
本発明は、郵便システムあるいはこれに好適な郵便箱に関し、特に郵便物の発送に便利な郵便システムあるいは郵便箱に関するものである。
【従来の技術】
【特許文献１】特開２０００−３１２６４１号公報
【特許文献２】特公平−３４８８９号公報
【０００２】
現在の郵便システムや郵便箱は、郵便の受け取りに関しては利便性が追求されており、郵便受に郵便物が投函された時に、当該住民に郵便物が来たことを知らせる郵便受システムが特許文献１で提案されている。
又、盗難防止のためにダイヤルキーを付した郵便受箱が特許文献２で提案されている。
【０００３】
【発明が解決しようとする課題】
前記特許文献１及び２に記載された発明は、何れも受け取った郵便物についての発明であり、郵便物を出す時の利便性を追求しているものではない。
近年、高齢化社会が急速に進むにつれて郵便物を郵便局に手持ちするのが大変な重労働となっている。
又、ポストも局内に相当数設置されているが、その設置場所が都会などでは特に不明で、結局郵便局に手持ちすることが余儀なく行われている。
本発明は前記諸点に着目し、予め発送郵便のあることを郵便局や集配人に知らしめ、当該発送人の住居から郵便物を簡便且つ確実に発送できるようにし、又、安全性にも配慮した郵便システムあるいは郵便箱を提供することを目的としてなされたものである。
【０００４】
【課題を解決するための手段】
前記課題は、受領郵便を収納する受領郵便収納部と発送用郵便を収納する発送郵便収納部とを有する郵便箱と、発送郵便収納部に発送用郵便物が投函されたことを検知する発送用郵便物検知手段と、この発送用郵便物検知手段が発送用郵便物を検知した時に郵便局に住居コードと共に発送用郵便物があることを送信する送信装置を具備する郵便システム、あるいは、受領郵便を収納する受領郵便収納部と発送用郵便を収納する発送郵便収納部を有する郵便箱と、発送用郵便収納部に発送用郵便が投函されていることを表示する表示手段とを有する郵便箱によって達成される。
【０００５】
【発明の実施の形態】
以下、発明の一実施形態について、図面を参照して説明する。
図１は本発明の一実施例である郵便箱の外観図、図２は同じく断面図、図３は制御回路、図４は表示部の概略図である。
図において、１は郵便箱で通常鋼板を折り曲げ所定箇所を溶接して箱状に構成する。
この郵便箱１は内部を仕切り板２によって仕切り、上部に従来と同様の受領郵便収納部３を、下部に発送用郵便を収納する発送郵便収納部４を構成する。このように構成された郵便箱１は図示しないが玄関の壁やあるいは門柱、又は、その付近に立てられた支柱等に取り付けられるものである。
【０００６】
前記郵便箱１の上部の受領郵便収納部３の上部前面部には、郵便物を投函する投函口５が設けられ、更に、この投函口５には上端をヒンジによって開閉自在に取り付けられた開閉蓋６が設けられている。
【０００７】
又、前記受領郵便収納部３の後方開口部には、郵便物を取り出す蓋７がヒンジによって前記と同様に開閉自在に取り付けられている。
従って、送られてきた郵便物は従来と同様にして保管され、当該住民は郵便物を受け取ることができる。
【０００８】
郵便箱１の下部の発送郵便収納部４の前面には上端をヒンジによって開閉自在に取り付けられた前部開閉蓋１０が設けられている。この開閉蓋１０の下端部にはダイヤルロック１１が設けられている。
このダイヤルロックは特定のダイヤルによって開錠するものであり、番号を知っているものでなければ開錠できないようになっている。
開錠の番号は、郵便局の集配人及び当該住居人のみが知り得ているもので、それ以外は当然秘密とされている。
【０００９】
１２は、発送郵便収納部４の後方の開口部に、上端を前記と同様にヒンジによって開閉自在に設けられた後部開閉蓋である。
この後部開閉蓋１２にも前記と同様のダイヤルロック１３が設けられており、予め設定された番号でないと開錠することはできない。
【００１０】
１４は発送郵便検知手段で、後部開閉蓋１２と一体的に連動する押圧子１５にて押圧されるアクチュエータ１６とこれによって作動されるマイクロスイッチ１７によって構成されている。
この構成において、発送用郵便物（図示せず）を後部開閉蓋１２を開いて投函すると、押圧子１５がヒンジを中心にして図示上左に回転し、アクチュエータ１６を介してマイクロスイッチ１７を作動させる。１８はこのマイクロスイッチ１７等を担持する担持体である。
マイクロスイッチ１７のアクチュエータ１６は、後部開閉蓋が僅か開いても作動しないように、少なくとも６０度以上の開放によって作動するようにそのストロークを調整してある。
これにより、風による開閉蓋のばたつきや不用意な人為的接触によって、誤通報することが防止される。
【００１１】
２１は発送用郵便収納部に発送用郵便が投函されていることを表示する表示手段である。
この表示手段は前部開閉蓋１０の上部に設けた細長窓２２に設けられるものである。この細長穴２２の長さは郵便箱１の略半分の長さ以下としてある。
図２及び図４を参照して具体的に説明する。細長窓２２の裏面にはこの窓を塞ぐように半透明板２３を接着によって設けている。この細長窓２２は半透明板２３を通しての手の覗き窓となっている。細長窓２２の裏面上下には細長窓２２の約２倍以上の長さの一対のレール２４を設け、このレール間に表示板２５をスライド自在に設けている。
表示板２５の表面には「郵便有」等の表示か、あるいは単に郵便箱の正面の色と「異色」とし、表示板２５をスライドさせて半透明板２３の裏面に位置させたとき、発送郵便があることを集配人に容易に知らしめるようにする。半透明板２５は表からの指による悪戯を防止する。
２６は表示板２５に設けた摘みで、スライド操作を容易にする。
【００１２】
次に、システムの動作について主に図３を参照して説明する。
３１は商用電源あるいはバッテリー等の電源である。３２は送信機、３３は各家庭に郵便局によって割り当てられたコード発生器である。
１７は郵便箱１内に設けられた前述のマイクロスイッチ、３４はマニュアルスイッチで家庭内の所望の位置に設置されるものである。
発送郵便物が発送郵便収納部に投函されるとマイクロスイッチ１７が作動し、送信機３２がオンされると、送信機はコード発生器３３のコードに従ったパルス列を持つ信号を郵便局側に向けて送信する。
このときの信号は家庭で設置した郵便箱１内に発送郵便物があることを知らしめるものである。
３４のマニュアルスイッチが操作されると送信機３２Ａはコード発生器３３Ａに記憶させているコード信号を送信する。このコード信号は前記コード発生器３３の送信コードに重み（拡張子）をつけたもので、書留や小包等手渡し郵便物がある旨を意味し、これを郵便局に送信する。
４１は郵便局側に設置された制御ユニットで４２は受信機、４３は受信機４２で受信したコードをデコードし、郵便物を発送しようとしている集配先を特定し、且つ、直接手渡しする郵便物有無の確認、すなわち重みを検出するもの、４４は前記で特定された集配先と直接か（手渡し）間接か（郵便箱）を集配員に知らしめるコントローラで、集配員のパソコン、携帯端末あるいはパーソナルデジタルアシスタント（ＰＤＡ）４５に送る機能を有する。
【００１３】
次に、本発明の動作について説明する。
郵便物を受ける方法は従来と同一であるので説明は省略する。
今、送りたい郵便物がある場合は郵便箱１の下の発送郵便収納部４に後部開閉蓋１２を開いて郵便物を投函する。この時後部開閉蓋１２を６０度以上開くようにする。このようにするとマイクロスイッチ１７が作動し前述の回路によって集配人に集配を希望している家、アパート等の住居が伝えられる。
このとき盗難予防のためにダイヤルロック１３で施錠する。
【００１４】
これと同時に、発送依頼人は表示板２５をスライドさせて発送したい郵便物があるとの表示をし、集配人の注意を喚起する。
又、半透明板２３を設けているためスライド板２５を表からの悪戯が防止され、安全である。
【００１５】
集配人は自分のパソコン、あるいは携帯端末に送られてきた集配先のデータによって集配先の家まで集配に行き、特定の番号で前部開閉蓋１０を開いて発送郵便物収納部４から発送郵便物を取り出す。
多くの集配先がありダイヤルロックが面倒な場合は、契約した個々の家庭で電子ロックをすることとし、集配人は電子マスターキーによって開錠するようにすれば更に利便性が向上する。
又、受信コードに重み付けがあり、直接手渡し郵便がある場合は集配人が当該家を訪問し、直接郵便物を受け取るようにする。
マニュアルスイッチ３４を家屋内に設置しておけば風雨時に庭の郵便箱まで郵便物を出しに行く必要がなく、又、コードに重み付けを付しておけば書留や小包等直接手渡しする場合に好適である。
このマニュアルスイッチ３４は郵便箱の存在とは無関係に、出すべき郵便物があることを郵便局に報知することができるので、この点においても新規な郵便の集配システムとして発明が存在するものと思料する。
【００１６】
【発明の効果】
以上述べたように本発明によれば、予め発送郵便のあることを郵便局や集配人に知らしめるようにしたので、当該発送人の住居から郵便物を簡便且つ確実に発送できるようになり、又、安全性も向上する郵便システムあるいは郵便箱を提供することができたものである。
【図面の簡単な説明】
【図１】本発明の一実施例を示す郵便箱の外観図。
【図２】同じく郵便箱の断面図。
【図３】本発明の一実施例郵便システムの制御回路の概略図。
【図４】同じく表示部の概略図である。
【符号の説明】
１‥‥郵便箱、２‥‥仕切り板、３‥‥受領郵便物収納部、４‥‥発送郵便物収納部、５‥‥投函口、開閉蓋、１０‥‥前部開閉蓋、１１‥‥ダイヤルロック、１２‥‥後部開閉蓋、１４‥‥発送郵便物検知手段、１５‥‥押圧子、１６‥‥アクチュエータ、１７‥‥マイクロスイッチ、２１‥‥表示手段、２２‥‥細長窓、２３‥‥半透明板、２４‥‥レール、２５‥‥表示板、３１‥‥電源、３２‥‥送信機、３３‥‥コード発生器、３４‥‥マニュアルスイッチ、４２‥‥受信機、４３‥‥デコード、４４‥‥コントローラ、４５‥‥携帯端末。
【図１】
2004305468.tif 000003
【図２】
2004305468.tif 000004
【図３】
2004305468.tif 000005
【図４】
2004305468.tif 000006